(57)【要約】【課題】電源接点と電源端子のチャタリングによるスパークを有効に防止する。【解決手段】携帯電話の充電台は、携帯機器３０の装着部２を有するケース１に、携帯機器３０の正負の電源接点３２Ａに接触される正負の電源端子２３Ａと、携帯機器３０の信号接点３２Ｂに接続される信号端子２３Ｂと、信号端子２３Ｂからのオン信号でオン状態に切り換えられる電源スイッチ２５と、電源回路２８とを備えている。充電台は、信号端子２３Ｂから入力されるオン信号を遅延して電源スイッチ２５をオンに切り換える遅延部２４を設けている。この充電台は、携帯機器３０がセットされて、電源端子２３Ａが電源接点３２Ａに、信号端子２３Ｂが信号接点３２Ｂに接続されて、携帯機器３０から入力されるオン信号が遅延部２４で遅延されて電源スイッチ２５をオンに切り換えて、電源回路２８が電源端子２３Ａと電源接点３２Ａを介して携帯機器３０の電池３１に充電電力を供給する。【選択図】図１６
2010158126.tif 000002
【特許請求の範囲】
【請求項１】
電池(31)を内蔵する携帯機器(30)を脱着できるように装着する装着部(2)を有するケース(1)と、このケース(1)に設けられて、装着部(2)にセットされる携帯機器(30)の正負の電源接点(32A)に接触される正負の電源端子(23A)と、前記ケース(1)に設けられて装着部(2)にセットされる携帯機器(30)の信号接点(32B)に接触される信号端子(23B)と、この信号端子(23B)を入力側に接続して信号端子(23B)からのオン信号でオン状態に切り換えられる電源スイッチ(25)と、この電源スイッチ(25)を介して電源端子(23A)に接続してなる電源回路(28)とを備えており、
前記電源スイッチ(25)の入力側と信号端子(23B)との間には、前記信号端子(23B)から入力されるオン信号を遅延して前記電源スイッチ(25)をオンに切り換える遅延部(24)を設けており、
前記ケース(1)の装着部(2)に携帯機器(30)がセットされて、電源端子(23A)が携帯機器(30)の電源接点(32A)に、信号端子(23B)が携帯機器(30)の信号接点(32B)に接続されて、前記信号接点(32B)と前記信号端子(23B)を介して携帯機器(30)から入力されるオン信号が前記遅延部(24)で遅延されて電源スイッチ(25)をオンに切り換えて、前記電源回路(28)が前記電源端子(23A)と前記電源接点(32A)を介して携帯機器(30)の電池(31)に充電電力を供給するようにしてなる携帯機器の充電台。
【請求項２】
前記遅延部(24)が、信号端子(23B)と電源スイッチ(25)の入力側とに接続された入力抵抗(26)と、電源スイッチ(25)の入力側に接続してなる遅延コンデンサー(27)とからなり、前記入力抵抗(26)を介して遅延コンデンサー(27)を充電して、電源スイッチ(25)のオン時間を遅延するようにしてなる請求項１に記載される携帯機器の充電台。
【請求項３】
前記遅延部(24)が、電源スイッチ(25)の入力側に接続してなるオンオフ半導体素子(41)と、このオンオフ半導体素子(41)の入力側に接続してなる遅延コンデンサー(27)と、この遅延コンデンサー(27)に接続されて遅延コンデンサー(27)を充電する充電抵抗(43)と、前記信号端子(23B)からのオン信号でオンに切り換えられて、前記充電抵抗(43)を電源回路(28)に接続して、充電抵抗(43)を介して遅延コンデンサー(27)を充電する入力半導体素子(42)とを備えており、
前記信号端子(23B)が携帯機器(30)の信号接点(32B)に接続されて入力されるオン信号で前記入力半導体素子(42)がオン状態に切り換えられ、オン状態の入力半導体素子(42)が充電抵抗(43)を介して遅延コンデンサー(27)を充電し、遅延コンデンサー(27)が充電されて電圧が上昇するとオンオフ半導体素子(41)をオンに切り換えて、オン状態のオンオフ半導体素子(41)が電源スイッチ(25)をオンに切り換えるようにしてなる請求項１に記載される携帯機器の充電台。
【請求項４】
電池(31)を内蔵する携帯機器(30)を脱着できるように装着する装着部(2)を有するケース(1)と、このケース(1)に設けられて、装着部(2)にセットされる携帯機器(30)の正負の電源接点(32A)に接触される正負の電源端子(23A)と、前記ケース(1)に設けられて装着部(2)にセットされる携帯機器(30)の信号接点(32B)に接触される信号端子(23B)と、この信号端子(23B)を入力側に接続して信号端子(23B)からのオン信号でオン状態に切り換えられる電源スイッチ(25)と、この電源スイッチ(25)を介して電源端子(23A)に接続してなる電源回路(28)とを備えており、
前記電源端子(23A)が、前記信号端子(23B)よりも携帯機器(30)に向かって高く突出されて、電源端子(23A)と信号端子(23B)の段差で遅延部(24)を構成しており、
前記ケース(1)の装着部(2)に携帯機器(30)がセットされる状態において、前記電源端子(23A)が携帯機器(30)の電源接点(32A)に接触する状態で、前記信号端子(23B)が前記遅延部(24)で遅延されて携帯機器(30)の信号接点(32B)に接触するようにしてなる携帯機器の充電台。
【請求項５】
前記電源端子(23A)と前記信号端子(23B)からなる出力端子(23)が、出力端子ピン(3)と、この出力端子ピン(3)を前記携帯機器(30)の電源接点(32A)に接近し、かつ離れる方向に往復運動できるように連結している端子ホルダ(4)と、前記出力端子ピン(3)を携帯機器(30)の電源接点(32A)に向かって弾性的に押圧する弾性体(5)とを備えており、
前記出力端子ピン(3)は、前記携帯機器(30)の電源接点(32A)に接触する金属プレート(6)と、この金属プレート(6)を埋設してなる円柱状のプラスチックカバー(7)とからなり、前記金属プレート(6)はプラスチックカバー(7)の先端から接点部(6A)を突出してプラスチックカバー(7)に埋設しており、
さらに、前記端子ホルダ(4)は、円柱状のプラスチックカバー(7)を軸方向に移動できるように連結してなる連結ガイド部(14)を有し、この連結ガイド部(14)と前記プラスチックカバー(7)の対向する部分には、一方にガイドピン(8)を、他方にはこのガイドピン(8)を案内して連結ガイド部(14)に沿って移動する出力端子ピン(3)をローリングさせる回転ガイド(13)を設けており、
前記ケース(1)の装着部(2)に装着される携帯機器(30)の電源接点(32A)で前記出力端子ピン(3)が押し込まれて、前記ガイドピン(8)が回転ガイド(13)に沿って移動して、前記金属プレート(6)の接点部(6A)をローリングして携帯機器(30)の電源接点(32A)に接触させるようにしてなる請求項１または４に記載される携帯機器の充電台。
【発明の詳細な説明】
【技術分野】
【０００１】
本発明は、充電できる電池を内蔵する携帯機器を装着して、内蔵している二次電池を充電する充電台に関する。
【背景技術】
【０００２】
充電台は、ケースに設けた操作部にセットされる携帯機器の電源接点に接続される正負の電源端子を備えている。充電台は、正負の電源端子が携帯機器の電源接点に接続されて、携帯機器に内蔵している電池を充電する。携帯機器がケースの装着部にセットされるとき、電源端子と電源接点とがチャタリングを起こすと、接触部でスパークが発生し、このスパークが電源端子や電源接点を損傷する原因となる。とくに、接触不良を解消するために、表面に金属メッキを設けている電源端子や電源接点は、スパークで金属メッキが損傷されて、接触不良を起こしやすくなる。チャタリングは、端子を接点に接触させるときに発生しやすいことから、チャタリングによる弊害を防止するために、端子を接点に接触させた後、遅延部で遅延してリレーをオンに切り換える装置が開発されている。（特許文献１ないし３参照）
【特許文献１】特開２００７−２４４０５２号公報
【特許文献２】特開２００４−２６６９５６号公報
【特許文献３】特開２００３−３１９５６６号公報
【発明の開示】
【発明が解決しようとする課題】
【０００３】
特許文献１の装置は、図１に示すように、負荷９０に設けている大容量のコンデンサー９４の充電電流による接点９２のスパークを防止するために、接点９２が接続されて所定の時間が経過した後、リレー９３をオンに切り換えて、リレー９３を介して電池９１から負荷９０に電力を供給している。この装置は、端子を接点に接続するときにチャタリングが発生しても、リレーをオフとするので、スパークは発生しない。端子が接点に接続されて所定の時間が経過すると、端子と接点とが相対運動しなくなるので、チャタリングは発生し難くなる。この状態でリレーをオンに切り換えて、電池から負荷に電力を供給する。
【０００４】
以上の装置は、電池の電力を負荷に接続するので、電池が接続されたことを検出して、リレーを遅延してオンに切り換えることができる。ただ、充電台は電源回路から電池に電力を供給するので、図１の電池９１に相当する電源回路は常に接続された状態にあるので、この電源回路からの電圧信号で遅延して、電源回路から電池側に電力を供給することができない。充電台には常に電源回路から電力が供給される状態にあるからである。
【０００５】
本発明の第１の目的は、以上の弊害を解消すること、すなわち、携帯機器に信号接点を、充電台に信号端子を設けて、装着部にセットされる携帯機器から充電台にオン信号を入力することで、電源スイッチを遅延してオンに切り換えて、電源接点と電源端子のチャタリングによるスパークを有効に防止できる携帯機器の充電台を提供することにある。
【０００６】
さらに、充電台は装着部に露出する電源端子に金属が接触するとショートして大きなショート電流が流れる弊害がある。また、露出する正負の電源端子の電圧が高いと、濡れた手で接触すると感電する可能性もある。さらに電源端子の電圧が低い場合でも、長時間接触すると低温やけどを被るおそれがある。この弊害を解消するために、携帯機器を装着しない状態では、電源端子をカバーで被覆する充電台が開発されている（特許文献２及び３参照）。
【０００７】
これらの特許文献に記載される充電台は、使用されない状態で接点を被覆する接点カバーを備えている。接点カバーは、携帯電話などの電池内蔵機器がセットされない状態で接点をカバーする。このため、携帯電話などがセットされない状態で、充電台の接点に金属等が接触してショートすることがなく、また、接点に人体が接触して低温やけどなどを起こすことがない。この充電台は、携帯電話などをセットすると、携帯電話に押されて接点カバーが接点を露出して携帯電話などの電源端子に接触させる。電源端子に接点を接触させて、携帯電話などの内蔵電池を充電する。したがって、この充電台は、接点カバーで接点に接触するのを防止できる。ただ、この構造の充電台は、接点カバーを携帯電話などで押して露出させるので、携帯電話などをセットすることなく、ユーザーが接点カバーを押圧すると接点が露出することがある。このため、ユーザーが接点に接触して低温やけどなどを起こす欠点を確実には阻止できない。
【０００８】
本発明の第２の目的は以上の欠点を解消すること、すなわち、携帯機器がセットされない状態では電源端子に電圧を出力しない状態とすることで、低温やけど等の弊害を解消して安全性を向上できる充電台を提供することにある。
【課題を解決するための手段及び発明の効果】
【０００９】
本発明の請求項１の携帯電話の充電台は、電池３１を内蔵する携帯機器３０を脱着できるように装着する装着部２を有するケース１と、このケース１に設けられて、装着部２にセットされる携帯機器３０の正負の電源接点３２Ａに接触される正負の電源端子２３Ａと、ケース１に設けられて装着部２にセットされる携帯機器３０の信号接点３２Ｂに接触される信号端子２３Ｂと、この信号端子２３Ｂを入力側に接続して信号端子２３Ｂからのオン信号でオン状態に切り換えられる電源スイッチ２５と、この電源スイッチ２５を介して電源端子２３Ａに接続してなる電源回路２８とを備えている。充電台は、電源スイッチ２５の入力側と信号端子２３Ｂとの間に、信号端子２３Ｂから入力されるオン信号を遅延して電源スイッチ２５をオンに切り換える遅延部２４を設けている。この充電台は、ケース１の装着部２に携帯機器３０がセットされて、電源端子２３Ａが携帯機器３０の電源接点３２Ａに、信号端子２３Ｂが携帯機器３０の信号接点３２Ｂに接続されて、信号接点３２Ｂと信号端子２３Ｂを介して携帯機器３０から入力されるオン信号が遅延部２４で遅延されて電源スイッチ２５をオンに切り換えて、電源回路２８が電源端子２３Ａと電源接点３２Ａを介して携帯機器３０の電池３１に充電電力を供給する。
【００１０】
以上の充電台は、電源端子とは別に信号端子を設けている。信号端子は装着部にセットされる携帯機器の信号接点に接続される。信号端子を信号接点に接続する状態で、携帯機器から信号端子にオン信号が入力される。このオン信号は遅延部で遅延されて電源スイッチをオンに切り換える。以上の回路構成の充電台は、携帯機器から入力されるオン信号を遅延して電源スイッチをオンに切り換えることができる。したがって、電源端子を電源接点に接触して所定の時間が経過した後に、電源端子から電源接点に電池の充電電力を供給できる。すなわち、携帯機器を装着部にセットして、電源端子と電源接点とがチャタリングを起こしやすいタイミングでは、充電台から携帯機器に充電電力を出力せず、携帯機器が装着部の定位置にセットされた後に充電電力を出力する。このため、電源接点と電源端子のチャタリングによるスパークを有効に防止できる。とくに、この充電台は、電源端子とは別に信号端子を設けることで、電源回路から常に電力が供給される状態にあっても、電源スイッチを遅延してオンに切り換えて、チャタリングによるスパークを防止できる。
【００１１】
さらに、以上の充電台は、携帯機器から入力されるオン信号で電源スイッチをオンに切り換えるので、装着部に携帯機器がセットされない状態では電源端子に電圧を出力せず、電源端子に金属が接触してショートすることがなく、またユーザーが誤って接触して感電することがなく、さらに電源端子に接触して低温やけどする等の弊害を確実に解消して安全に使用できる特徴も実現する。すなわち、以上の充電台は、装着部にセットされる携帯機器から信号端子に入力されるオン信号を遅延部で遅延して電源スイッチをオンに切り換える独特の回路構成で、装着時における電源接点のチャタリングによるスパークを防止し、さらに装着部に携帯機器をセットしない状態では、ショート、感電、低温火傷などを防止できる特徴を実現する。
【００１２】
本発明の携帯電話の充電台は、遅延部２４を、信号端子２３Ｂと電源スイッチ２５の入力側とに続された入力抵抗２６と、電源スイッチ２５の入力側に接続してなる遅延コンデンサー２７とで構成して、入力抵抗２６を介して遅延コンデンサー２７を充電して、電源スイッチ２５のオン時間を遅延することができる。
以上の充電台は、極めて簡単な遅延部でもって、電源スイッチを遅延してオンに切り換えできる。
【００１３】
本発明の携帯電話の充電台は、遅延部２４が、電源スイッチ２５の入力側に接続してなるオンオフ半導体素子４１と、このオンオフ半導体素子４１の入力側に接続してなる遅延コンデンサー２７と、この遅延コンデンサー２７に接続されて遅延コンデンサー２７を充電する充電抵抗４３と、信号端子２３Ｂからのオン信号でオンに切り換えられて、充電抵抗４３を電源回路２８に接続して、充電抵抗４３を介して遅延コンデンサー２７を充電する入力半導体素子４２とを備えることができる。この遅延部２４は、信号端子２３Ｂが携帯機器３０の信号接点３２Ｂに接続されて入力されるオン信号で入力半導体素子４２がオン状態に切り換えられ、オン状態の入力半導体素子４２が充電抵抗４３を介して遅延コンデンサー２７を充電し、遅延コンデンサー２７が充電されて電圧が上昇するとオンオフ半導体素子４１をオンに切り換えて、オン状態のオンオフ半導体素子４１が電源スイッチ２５をオンに切り換えることができる。
以上の充電台は、遅延コンデンサーと並列に接続されるオンオフ半導体素子の入力インピーダンスを高くできるので、遅延コンデンサーと充電抵抗とで安定して所定の遅延に設定して電源スイッチをオンに切り換えできる。
【００１４】
本発明の請求項４の携帯電話の充電台は、電池３１を内蔵する携帯機器３０を脱着できるように装着する装着部２を有するケース１と、このケース１に設けられて、装着部２にセットされる携帯機器３０の正負の電源接点３２Ａに接触される正負の電源端子２３Ａと、ケース１に設けられて装着部２にセットされる携帯機器３０の信号接点３２Ｂに接触される信号端子２３Ｂと、この信号端子２３Ｂを入力側に接続して信号端子２３Ｂからのオン信号でオン状態に切り換えられる電源スイッチ２５と、この電源スイッチ２５を介して電源端子２３Ａに接続してなる電源回路２８とを備えている。電源端子２３Ａは、信号端子２３Ｂよりも携帯機器３０に向かって高く突出されており、電源端子２３Ａと信号端子２３Ｂの段差で遅延部２４を構成している。この充電台は、ケース１の装着部２に携帯機器３０がセットされる状態において、電源端子２３Ａが携帯機器３０の電源接点３２Ａに接触する状態で、信号端子２３Ｂが遅延部２４で遅延されて携帯機器３０の信号接点３２Ｂに接触する。
【００１５】
以上の充電台は、電源端子と信号端子の段差で遅延部を構成することで、極めて簡単な構造としながら、チャタリングによるスパークを確実に防止できる特徴がある。電源端子と信号端子の段差で構成される遅延部は、装着部に携帯機器をセットする状態で、電源端子が携帯機器の電源接点に接続された後、遅れたタイミングで信号端子を携帯機器の信号接点に接触させる。すなわち、電源端子と信号端子の段差部により、電源端子が携帯機器の電源接点に接触するタイミングと、信号端子が携帯機器の信号接点に接触するタイミングとに時間差を設けてさせる。したがって、電源端子を電源接点に接触させて所定の時間が経過した後に、信号端子に接触する信号接点から入力されるオン信号で電源スイッチをオンに切り換えて、電源端子から電源接点に電池の充電電力を供給できる。このため、携帯機器を装着部にセットする初めタイミングである、電源端子と電源接点とがチャタリングを起こしやすいタイミングでは、充電台から携帯機器に充電電力を出力せず、携帯機器が装着部の定位置にセットされる終わりのタイミングにおいて、信号端子を信号接点に接触させて電源端子から電源接点に電池の充電電力を出力する。このため、電源接点と電源端子のチャタリングによるスパークを有効に防止できる。とくに、この充電台は、信号端子を電源端子と別々に設ける構造を巧妙に利用して、段差を設けて遅延部を構成することで、確実に動作してスパークを防止できる遅延部を設けることができる。
【００１６】
さらに、以上の充電台は、携帯機器から入力されるオン信号で電源スイッチをオンに切り換えるので、装着部に携帯機器がセットされない状態では電源端子に電圧を出力せず、電源端子に金属が接触してショートすることがなく、またユーザーが誤って接触して感電することがなく、さらに電源端子に接触して低温やけどする等の弊害を確実に解消して安全に使用できる特徴も実現する。すなわち、以上の充電台は、電源端子と信号端子の段差で構成される遅延部でもって、電源端子が携帯機器の電源接点に接触するタイミングと信号端子が携帯機器の信号接点に接触するタイミングと時間差を設けて、装着時における電源接点のチャタリングによるスパークを防止し、さらに、装着部に携帯機器をセットしない状態では、ショート、感電、低温火傷などを防止できる特徴を実現する。
【００１７】
本発明の携帯電話の充電台は、電源端子２３Ａと信号端子２３Ｂからなる出力端子２３が、出力端子ピン３と、この出力端子ピン３を携帯機器３０の電源接点３２Ａに接近し、かつ離れる方向に往復運動できるように連結している端子ホルダ４と、出力端子ピン３を携帯機器３０の電源接点３２Ａに向かって弾性的に押圧する弾性体５とを備えることができる。出力端子ピン３は、携帯機器３０の電源接点３２Ａに接触する金属プレート６と、この金属プレート６を埋設してなる円柱状のプラスチックカバー７とで構成して、金属プレート６はプラスチックカバー７の先端から接点部６Ａを突出してプラスチックカバー７に埋設することができる。さらに、端子ホルダ４は、円柱状のプラスチックカバー７を軸方向に移動できるように連結してなる連結ガイド部１４を有し、この連結ガイド部１４とプラスチックカバー７の対向する部分には、一方にガイドピン８を、他方にはこのガイドピン８を案内して連結ガイド部１４に沿って移動する出力端子ピン３をローリングさせる回転ガイド１３を設けることができる。この充電台は、ケース１の装着部２に装着される携帯機器３０の電源接点３２Ａで出力端子ピン３を押し込んで、ガイドピン８を回転ガイド１３に沿って移動させて、金属プレート６の接点部６Ａをローリングして携帯機器３０の電源接点３２Ａに接触させることができる。
【００１８】
以上の充電台は、安価に製造しながら、出力端子ピンをスムーズに回転させながら軸方向に移動し、接触不良を解消して電源接点に接続できる特徴がある。製造コストを低減できるのは、出力端子ピンを金属プレートを円柱状に成形しているプラスチックカバーに埋設しているからである。この構造の出力端子ピンは、プラスチックカバーを成形して、所定の外形に成形できることから、金属を加工して所定の形状の出力端子ピンとするものに比較して、安価に多量生産できる。また、出力端子ピンをスムーズに回転させながら軸方向に移動できるのは、出力端子ピンのプラスチックカバーを端子ホルダに摺動して軸方向に移動できるからである。すなわち、出力端子ピンと端子ホルダとの摺動部を金属接触とするのでなく、プラスチック接触とすることで、プラスチックとプラスチックとを摺動させて摺動抵抗を小さくできる。また、接触不良を解消して電源接点に接続できるのは、出力端子ピンをスムーズに回転して電源接点に接触できることに加えて、電源接点との接触部分を板状とすることで、金属プレートで電源接点の表面に付着するゴミなどの異物を掻き取るようにして接触できるからである。
【００１９】
また、以上の充電台は、携帯機器の電源接点に接続する接点部の露出面積を小さくして、感電やショートを防止できる特徴も実現する。それは、出力端子ピンの全体を金属製とするのでなく、金属プレートをプラスチックカバーに埋設して、プラスチックカバーの先端から接点部を露出させる構造とすることで、導電部の露出面積を著しく小さくできるからである。
【００２０】
さらに、以上の充電台は、出力端子ピンを回転させながら電源接点に接触させることから、携帯機器を装着部にセットするときにチャタリングを起こしやすい状態となるが、携帯機器を装着部の定位置にセットするまでは、出力端子ピンから電圧を出力しないので、この状態でチャタリングを起こしてもスパークを発生することがない。このため、電源端子の出力端子ピンを携帯機器の電源接点に確実に接触させながら、スパークを防止できる特徴がある。このため、この構造の充電台は、長期間にわたって携帯機器の電源接点に電源端子を安定して接触して携帯機器の電池を確実に充電できる特徴がある。
【発明を実施するための最良の形態】
【００２１】
以下、本発明の実施例を図面に基づいて説明する。ただし、以下に示す実施例は、本発明の技術思想を具体化するための携帯機器の充電台を例示するものであって、本発明は充電台を以下のものに特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図２ないし図６に示す充電台は、充電できる電池を内蔵する携帯機器３０を脱着できるように装着して、内蔵している電池を充電する。携帯機器３０は、携帯電話である。ただ、本発明は、内蔵する電池を充電する携帯機器を特定するものでなく、たとえば、ＭＤやＣＤの再生または録音再生機、デジタル携帯機器、ゲーム機等、二次電池を内蔵している全ての携帯機器とすることができる。
【００２４】
図２ないし図４は第１の実施例の充電台を、図５と図６は第２の実施例の充電台をそれぞれ示している。これらの充電台は、携帯機器３０を脱着できるように装着する装着部２を有するケース１と、このケース１に設けられて、装着部２にセットされる携帯機器３０の電源接点３２Ａに接触される電源端子２３Ａと、携帯機器の信号接点３２Ｂに接続される信号端子２３Ｂとを備える。
【００２５】
電源端子２３Ａと信号端子２３Ｂからなる出力端子２３は、出力端子ピン３と、この出力端子ピン３を携帯機器３０の接点３２である電源接点３２Ａと信号接点３２Ｂに接近し、かつ離れる方向に往復運動できるように連結している端子ホルダ４と、出力端子ピン３を携帯機器３０の電源接点３２Ａと信号接点３２Ｂに向かって弾性的に押圧する弾性体５とを備えている。図の充電台は、出力端子ピン３と端子ホルダ４と弾性体５とをコネクタ１０としてケース１に固定している。
【００２６】
図のケース１は、外周に沿って凸条２０を設けており、この凸条２０の内側を装着部２として、携帯機器３０を脱着自在にセットできるようにしている。図２の充電台は、ケース１に設けた装着部２の底部にコネクタ１０を設けて、底から上方に突出するように出力端子ピン３を設けている。この充電台は、図３と図４に示すように、コネクタ１０に回路基板９を固定して、コネクタ１０を上ケース１Ａに固定し、コネクタ１０を固定した上ケース１Ａを下ケース１Ｂに連結している。上ケース１Ａは、装着部２の底面２Ａに、コネクタ１０を突出させる開口窓２１を設けて、この開口窓２１にコネクタ１０を配置している。コネクタ１０は、側面から突出する固定部１１を有しており、この固定部１１を止ネジ１２を介して上ケース１Ａに固定している。
【００２７】
図５の充電台は、装着部２の周囲に設けた凸条２０のうちの１辺、図において後方に位置する凸条２０Ａの幅を広くしており、この凸条２０Ａの内部に収納部（図示せず）を設けて、この収納部にコネクタ１０を配置している。このコネクタ１０は、凸条２０から装着部２に向かって水平方向に突出するように出力端子ピン３を設けている。この充電台は、図６に示すように、コネクタ１０に回路基板９を固定して、コネクタ１０を上ケース１Ｂの凸条２０Ａの内側壁２２に固定し、コネクタ１０を固定した上ケース１Ａを下ケース１Ｂに連結している。上ケース１Ａは、凸条２０Ａの内壁２２に、コネクタ１０を突出させる開口窓２１を設けて、この開口窓２１にコネクタ１０を配置している。コネクタ１０は、側面から突出する固定部１１を止ネジ１２を介して内側壁２２に固定している。
【００２８】
コネクタ１０の断面図を図７に、出力端子ピン３の斜視図を図８に示す。これらの図の出力端子ピン３は、携帯機器３０の接点３２である電源接点３２Ａと信号接点３２Ｂに接触する金属プレート６と、この金属プレート６を埋設してなる円柱状のプラスチックカバー７とからなる。この出力端子ピン３は、絶縁材であるプラスチックカバー７を成形する工程で、金属プレート６をインサート成形して埋設している。金属プレート６は、プラスチックカバー７の先端から接点部６Ａを突出させるようにプラスチックカバー７に埋設している。金属プレート６は、図９に示すように、金属板４０を打ち抜き加工して、複数個を連続する形状として製作される。出力端子ピン３は、複数の金属プレート６を連続する状態で、プラスチックカバー７にインサート成形して製作され、成形された後に切り離することで能率よく製造できる。
【００２９】
図７の金属プレート６は、プラスチックカバー７の円柱部７Ａの外径よりも狭い幅として、その両側縁をプラスチックカバー７の表面に露出することなく埋設して、その先端部のみを接点部６Ａとして露出させる。接点部６Ａは、プラスチックカバー７の先端から突出するように露出される。板状の接点部６Ａは、出力端子ピン３が押し込まれる状態で回転して、図１０に示すように、接点３２に擦り付けられて接触不良を解消する。さらに図７と図９の金属プレート６は、下部の両側に突出片６Ｂを設けている。この突出片６Ｂは、プラスチックカバー７から露出して、出力端子ピン３を弾性的に押し上げる弾性体５であるコイルスプリング５Ａに電気接続される。
【００３０】
プラスチックカバー７は、図８に示すように、円柱状に成形されて、下部には抜け止め鍔部７Ｂを設けている。抜け止め鍔部７Ｂは、図７に示すように、端子ホルダ４に係止されて出力端子ピン３を抜けないように保持する。さらに、プラスチックカバー７は、下部の両側にガイドピン８を突出して設けている。ガイドピン８は、図１１ないし図１３に示すように、端子ホルダ４に設けた回転ガイド１３に沿って移動して、往復運動する出力端子ピン３を回転させる。図８の出力端子ピン３は、プラスチックカバー７の抜け止め鍔部７Ｂから突出してガイドピン８を設けている。
【００３１】
端子ホルダ４はプラスチック製で、円柱状のプラスチックカバー７を軸方向に移動できるように連結してなる連結ガイド部１４を設けている。図７と図１４に示す端子ホルダ４は、連結ガイド部１４を角柱状の縦孔として、ここに出力端子ピン３を往復運動できるように案内している。図のコネクタ１０は、３本の出力端子ピン３を端子ホルダ４に設けているので、端子ホルダ４には３組の縦孔を設けている。連結ガイド部１４の縦孔は、上端の開口部１４ａを細くし、ここに抜け止め鍔部７Ｂを係止して、出力端子ピン３を抜けないように、往復運動できるように案内している。
【００３２】
さらに、端子ホルダ４は、図１１ないし図１４に示すように、連結ガイド部１４の縦孔の側面１５に、出力端子ピン３のガイドピン８を案内して、連結ガイド部１４に沿って移動する出力端子ピン３をローリングさせる回転ガイド１３を設けている。回転ガイド１３は、出力端子ピン３が軸方向に移動してローリングするように、上下に向かって左右方向に傾斜している。さらに、各々の連結ガイド部１４は、出力端子ピン３の両側に突出するガイドピン８を案内できるように、互いに対向する側面に回転ガイド１３を設けると共に、互いに対向する回転ガイド１３の傾斜方向を逆向きとしている。いいかえると、対向する側面１５の設ける回転ガイド１３は、出力端子ピン３を対象の中心として点対称の形状に傾斜させている。この形状の回転ガイド１３を対向する側面１５に備える端子ホルダ４は、出力端子ピン３の両側に突出するガイドピン８をバランス良くスライドさせてスムーズにローリングしながら上下に移動する。図の回転ガイド１３はスリットとして、ここにガイドピン８を案内している。回転ガイドは、溝として、ここにガイドピンを案内することもできる。
【００３３】
以上のコネクタ１０は、出力端子ピン３にガイドピン８を設けて、端子ホルダ４に回転ガイド１３を設けているが、出力端子ピンのプラスチックカバーと、端子ホルダの連結ガイド部との対向面において、端子ホルダにガイドピンを、プラスチックカバーに回転ガイドを設けて、出力端子ピンを軸方向に移動してローリングすることもできる。
【００３４】
出力端子ピン３を弾性的に押圧する弾性体５はコイルスプリング５Ａで、連結ガイド部１４の縦孔に入れられて、出力端子ピン３と回路基板９との間に弾性的に圧縮状態で配置している。このコイルスプリング５Ａは、導電性の金属スプリングで、出力端子ピン３を回路基板９に電気接続する。弾性体５のコイルスプリング５Ａは、出力端子ピン３の金属プレート６に接触し、かつ回路基板９に設けている導電部に接触して、回路基板９の導電部を出力端子ピン３に電気接続している。
【００３５】
さらに、図７、図１１ないし図１３、及び図１５のコネクタ１０は、出力端子ピン３が往復運動する方向に往復運動できる絶縁カバー１６と、この絶縁カバー１６を携帯機器３０に向かって弾性的に突出させる押しバネ１７とを端子ホルダ４に設けている。
【００３６】
絶縁カバー１６は、出力端子ピン３を往復運動できるように案内するガイド孔１６ａを設けている。図の絶縁カバー１６は、下方を開口する箱形にプラスチックを成形して、天板１６Ａに出力端子ピン３を突出するガイド孔１６ａを設けている。端子ホルダ４は、一対の側壁部１８を設けており、その側壁部１８の内側に絶縁カバー１６を上下に往復運動できるように配置している。絶縁カバー１６は、図１５に示すように、側面の下部を上下方向にスリット１６Ｃで分断して弾性変形片１６Ｂを設けており、この弾性変形片１６Ｂの下端に、外側に突出する係止フック１６ｂを設けている。一方、端子ホルダ４の側壁部１８は、内側に段差凹部１８Ａを設けており、この段差凹部１８Ａの上端を、係止フック１６ｂを係止する係止部１８ａとしている。係止フック１６ｂが係止部１８ａに係止されて、絶縁カバー１６は抜けないように端子ホルダ４に連結される。
【００３７】
押しバネ１７はコイルスプリングで、図７、図１１ないし図１４、及び図１５に示すように、絶縁カバー１６の天板１６Ａを下面から押圧して、絶縁カバー１６を出力端子ピン３の方向に突出させる。端子ホルダ４は、コイルスプリングの押しバネ１７を定位置に配置するために、上方に突出するように連結ロッド１９を一体的に成形して設けている。この連結ロッド１９に挿入されたコイルスプリングの押しバネ１７は、下端を端子ホルダ４に、上端を絶縁カバー１６の天板１６Ａの内面に接触して、絶縁カバー１６を弾性的に押し上げている。
【００３８】
このコネクタ１０は、携帯機器３０がセットされない状態では、図１１と図１５に示すように絶縁カバー１６が押しバネ１７に押し上げられて、出力端子ピン３を露出させない状態とする。携帯機器３０で絶縁カバー１６が押されると、図１２に示すように、絶縁カバー１６が押し下げられる。この状態になると、出力端子ピン３が絶縁カバー１６から突出して接点部６Ａが携帯機器３０の電源接点３２Ａと信号接点３２Ｂに接触される。図１２は、わかりやすくするために、出力端子ピン３を絶縁カバー１６から大きく突出させているが、携帯機器３０を装着部２にセットする状態で、このように出力端子ピン３が絶縁カバー１６から突出することはない。携帯機器３０を装着部２にセットする状態では、図７に示すように、絶縁カバー１６は携帯機器３０のケース表面に、出力端子ピン３は電源接点３２Ａと信号接点３２Ｂに接触する位置となるからである。
【００３９】
コネクタ１０に設けている３組の出力端子ピン３は、出力端子ピン３を押し上げる弾性体５のコイルスプリング５Ａと回路基板９の導電部を介して充電電源２９に接続される。図１６は、充電台の回路図を示している。この充電台は、携帯機器３０に設けている正負の電源接点３２Ａと信号接点３２Ｂからなる接点３２に出力端子ピン３を接続して、携帯機器３０に内蔵される電池３１を充電する。したがって、コネクタ１０は、携帯機器３０の正負の電源接点３２Ａと信号接点３２Ｂに接触される３組の出力端子ピン３、すなわち電源端子２３Ａと信号端子２３Ｂからなる出力端子２３を備えている。
【００４０】
図１６の充電台は、携帯機器３０のプラス側の電源接点３２Ａに接続される出力端子ピン３に接続している電源スイッチ２５を備えている。この電源スイッチ２５は半導体スイッチング素子２５Ａで構成している。この半導体スイッチング素子２５Ａは、その入力に、携帯機器３０の信号接点３２Ｂに接続される信号端子２３Ｂである出力端子ピン３を接続している。電源スイッチ２５である半導体スイッチング素子２５Ａの入力側と信号端子２３Ｂとの間には、信号端子２３Ｂから入力されるオン信号を遅延して電源スイッチ２５の半導体スイッチング素子２５Ａをオンに切り換える遅延部２４を設けている。
【００４１】
図１６の遅延部２４は、信号端子２３Ｂと電源スイッチ２５である半導体スイッチング素子２５Ａの入力側とに接続された入力抵抗２６と、半導体スイッチング素子２５Ａの入力側に接続している遅延コンデンサー２７とからなる。この遅延部２４は、入力抵抗２６を介して遅延コンデンサー２７を充電して、電源スイッチ２５の半導体スイッチング素子２５Ａのオン時間を遅延する。
【００４２】
半導体スイッチング素子２５ＡはＦＥＴで、入力側のゲートに遅延部２４である遅延コンデンサー２７と入力抵抗２６との接続点を接続している。入力抵抗２６は、半導体スイッチング素子２５Ａの入力側であるＦＥＴのゲートと信号端子２３Ｂとの間に接続し、遅延コンデンサー２７は、電源回路２８のプラス側と半導体スイッチング素子２５ＡであるＦＥＴのゲートとの間に接続している。この遅延部２４は、信号端子２３Ｂから入力されるオン信号で、入力抵抗２６を介して遅延コンデンサー２７を充電し、遅延コンデンサー２７の電圧がＦＥＴをオンに切り換える電圧になると、電源スイッチ２５のＦＥＴがオンに切り換えられる。この遅延部２４は、入力抵抗２６の電気抵抗を大きく、遅延コンデンサー２７の静電容量を大きくして遅延時間を長くできる。遅延部２４の遅延時間は、数ｍｓｅｃ〜数ｓｅｃに設定される。
【００４３】
図１７の遅延部２４は、電源スイッチ２５の入力側であるＦＥＴのゲートに接続しているオンオフ半導体素子４１を備える。オンオフ半導体素子４１はオンオフトランジスタで、入力側であるベースに遅延コンデンサー２７を接続している。さらに、この遅延コンデンサー２７を充電するために、遅延コンデンサー２７には充電抵抗４３を接続している。充電抵抗４３は、信号端子２３Ｂからのオン信号でオンに切り換えられる入力半導体素子４２でもって、電源回路２８のプラス側に接続している。この遅延部２４は、信号端子２３Ｂにオン信号が入力されると、オン信号で入力半導体素子４２がオン状態に切り換えられ、オン状態の入力半導体素子４２が充電抵抗４３を介して遅延コンデンサー２７を充電する。遅延コンデンサー２７が充電されて電圧が上昇すると、オンオフ半導体素子４１がオンに切り換えられる。オン状態のオンオフ半導体素子４１は、電源スイッチ２５をオンに切り換えて、プラス側の電源端子２３Ａを電源回路２８に接続する。
【００４４】
以上の遅延部２４も、遅延コンデンサー２７の静電容量と、入力抵抗２６の電気抵抗で遅延時間を特定できる。この遅延部２４も図１６と同じように、信号端子２３Ｂに入力されるオン信号を数ｍｓｅｃ〜数ｓｅｃ遅延して、電源スイッチ２５のＦＥＴをオンに切り換える。
【００４５】
図１６と図１７の充電台は、信号端子２３Ｂから入力されるオン信号を遅延して、電源スイッチ２５のＦＥＴをオンに切り換える。オン状態の電源スイッチ２５は、電源端子２３Ａの出力端子ピン３から正負の電力を出力して、携帯機器３０に内蔵している電池３１を充電する。この充電台は、携帯機器３０からオン信号が入力されない状態で、電源スイッチ２５はオフ状態に保持される。したがって、携帯機器３０をセットしない状態で、電源端子２３Ａの出力端子ピン３は充電電力を出力しない。また、信号接点３２Ｂに接続される信号端子２３Ｂは、入力抵抗２６を接続し、高インピーダンスとなる。このため、携帯機器３０をセットしない状態で、ユーザーが電源端子２３Ａや信号端子２３Ｂの出力端子ピン３の接点部６Ａに接触しても、感電することがなく、またショートすることもない。図１６と図１７の充電台は、電源スイッチ２５をＦＥＴとするが、ＦＥＴに代わってトランジスタも使用できる。
【００４６】
図１８に示す携帯機器３０は、マイナス側の電源接点３２Ａと信号接点３２Ｂとを接続してひとつの接点３２としており、この接点３２に電源端子２３Ａと信号端子２３Ｂとなる２本の出力端子ピン３を接触できるようにしている。図１８に示す携帯機器３０の電源接点３２Ａは、プラス側の電源接点３２Ａを、１本の出力端子ピン３が接触できる円形の導電部３５とし、マイナス側の電源接点３２Ａと信号接点３２Ｂとを、２本の電源端子２３Ａと信号端子２３Ｂからなる出力端子ピン３が接触できる長円形の導電部３６として、携帯機器３０のケース３３から表出させている。ただ、マイナス側の電源端子と信号端子は、必ずしも携帯機器のケース表面でひとつの導電部として接続する必要はなく、携帯機器の内部で接続し、あるいは保護回路に接続して、保護回路で制御することもできる。マイナス側の電源接点３２Ａと信号接点３２Ｂが接続される接点３２は、携帯機器３０が充電台にセットされる状態で、電源スイッチ２５のＦＥＴをオン状態とする。
【００４７】
さらに、本発明の携帯電話の充電台は、図１９ないし図２５に示すように、電源端子２３Ａの出力端子ピン３を、信号端子２３Ｂの出力端子ピン３よりも携帯機器３０に向かって高く突出させて、電源端子２３Ａの出力端子ピン３と信号端子２３Ｂの出力端子ピン３の段差で遅延部２４を構成することもできる。これらの充電台は、携帯機器３０がケース１の装着部２にセットされる状態で、電源端子２３Ａの出力端子ピン３が携帯機器３０の電源接点３２Ａに先に接触し、電源端子２３Ａが電源接点３２Ａに接触する状態で、信号端子２３Ｂの出力端子ピン３が携帯機器３０の信号接点３２Ｂに接触する。すなわち、信号端子２３Ｂは、電源端子２３Ａよりも遅く、すなわち遅延して携帯機器３０の接点３２に接触される。なお、図２０と図２４は、わかりやすくするために、出力端子ピン３を絶縁カバー１６から大きく突出させているが、携帯機器３０を装着部２にセットする状態で、このように出力端子ピン３が絶縁カバー１６から突出することはない。
【００４８】
図１９ないし図２２に示すコネクタ１０は、電源端子２３Ａの出力端子ピン３と信号端子２３Ｂの出力端子ピン３とに段差を設けるために、信号端子２３Ｂの出力端子ピン３を電源端子２３Ａの出力端子ピン３よりも短くしている。図２２の出力端子２３は、コネクタ１０の中央に位置する信号端子２３Ｂの出力端子ピン３を、両側に位置する電源端子３２Ａの出力端子ピン３よりも短くして、電源端子２３Ａの出力端子ピン３を、信号端子２３Ｂの出力端子ピン３よりも高く突出させている。この構造は、信号端子２３Ｂの出力端子ピン３の高さを最適な高さに設計して、段差で構成される遅延部２４を、最も簡単に設けることができる。
【００４９】
図２３ないし図２５に示すコネクタ１０は、電源端子２３Ａの出力端子ピン３と信号端子２３Ｂの出力端子ピン３とに段差を設けるために、出力端子ピン３に設けたガイドピン８を案内する回転ガイド１３の深さを変更している。深く成形される回転ガイド１３は、ガイドピン８を深く案内して出力端子ピン３の突出量を大きくでき、浅く成形される回転ガイド１３は、ガイドピン８の移動を制限して出力端子ピン３の突出量を小さくする。図の出力端子２３は、信号端子２３Ｂの出力端子ピン３に設けたガイドピン８を案内する回転ガイド１３を、電源端子２３Ａの出力端子ピン３に設けたガイドピン８を案内する回転ガイド１３よりも浅く成形している。すなわち、図の出力端子２３は、端子ホルダ４の側面１５の中央に設けた回転ガイド１３を、側面１５の両側に設けた回転ガイド１３よりも浅く成形して、両側に位置する電源端子２３Ａの出力端子ピン３を、中央に位置する信号端子２３Ｂの出力端子ピン３よりも高く突出させている。この構造は、全ての出力端子ピン３を同じ長さとしながら、回転ガイド１３の深さで突出高さを調整できるので、出力端子ピン３を同じ規格として安価に多量生産しながら、段差で構成される遅延部２４を設けることができる。
【００５０】
さらに、図示しないが、出力端子は、出力端子ピンに設けるガイドピンの位置を変更して、すなわち、ガイドピンの位置を上下にずらすことで、端子ホルダからの出力端子ピンの突出量を変更することもできる。ガイドピンの位置を上側とする出力端子ピンは、ガイドピンの位置を下側とする出力端子ピンに比べて、端子ホルダからの突出量が低くなるからである。したがって、出力端子は、信号端子の出力端子ピンに設けるガイドピンの位置を、電源端子の出力端子ピンに設けるガイドピンの位置よりも上方にずらすことで、電源端子の出力端子ピンを、信号端子の出力端子ピンよりも高く突出させることができる。この構造は、出力端子ピンの長さと回転ガイドの深さを同じにしながら、電源端子と信号端子とに段差を設けることができる。
【００５１】
以上のように、電源端子２３Ａの出力端子ピン３と信号端子２３Ｂの出力端子ピン３の段差で構成される遅延部２４は、携帯機器３０がケース１の装着部２にセットされる状態で、電源端子２３Ａが携帯機器３０の電源接点３２Ａに接続された後、遅れたタイミングで信号端子２３Ｂを携帯機器３０の信号接点３２Ｂに接触させる。したがって、電源端子２３Ａを電源接点３２Ａに接触させて所定の時間が経過した後に、信号端子２３Ｂを携帯機器の信号接点３２Ｂに接触させて、信号接点３２Ｂから信号端子２３Ｂにオン信号を入力できる。とくに、この充電台は、電源端子２３Ａよりも信号端子２３Ｂを低くする段差構造としているので、仮に電源端子が露出して金属等に接触する状態となっても、低く配置される信号端子は露出するのが有効に防止されるので、より安全性を高くできる。
【００５２】
電源端子２３Ａの出力端子ピン３と信号端子２３Ｂの出力端子ピン３の段差で構成される遅延部２４を備える充電台は、携帯機器の信号接点３２Ｂと信号端子２３Ｂとを介して入力されるオン信号で電源スイッチ２５をオンに切り換えて、電源回路２８が電源端子２３Ａと電源接点３２Ａを介して携帯機器３０の電池３１に充電電力を供給する。したがって、この充電台は、電源スイッチ２５の入力側と信号端子２３Ｂとの間に遅延部を設けることなく、信号端子２３Ｂを介して入力されるオン信号で電源スイッチ２５をオンに切り換えできる。ただ、充電台は、段差で構成される遅延部に加えて、電源スイッチの入力側と信号端子との間に、前述の遅延部を設けることもできる。
【００５３】
段差で構成される遅延部２４を備える充電台は、図２６に示す回路構成とすることができる。この充電台は、携帯機器３０のプラス側の電源端子３２Ａである接続端子３２に接続される出力端子ピン３に接続している電源スイッチ２５を備えている。この電源スイッチ２５は半導体スイッチング素子２５Ａで構成している。この半導体スイッチング素子２５Ａは、その入力に、携帯機器３０の信号端子３２Ｂに接続される出力端子ピン３を接続している。信号端子３２Ｂに接続される出力端子ピン３から入力されるオン信号で半導体スイッチング素子２５Ａはオンに切り換えられる。オン状態の半導体スイッチング素子２５Ａは、出力端子ピン３から正負の電力を出力して、携帯機器３０に内蔵される電池３１を充電する。この充電台は、携帯機器３０からオン信号が入力されない状態で、半導体スイッチング素子２５Ａはオフ状態に保持される。したがって、携帯機器３０をセットしない状態で、出力端子ピン３が充電電圧を出力しない。このため、携帯機器３０をセットしない状態で、ユーザーが出力端子ピン３の接点部６Ａに接触しても、感電することがなく、またショートすることもない。
【００５４】
図２６の充電台は、半導体スイッチング素子２５Ａにトランジスタを使用する。トランジスタは、入力のベースを入力抵抗２６を介して信号端子３２Ｂに接触する出力端子ピン３に接触している。トランジスタのベースは、携帯機器３０がセットされる状態で、携帯機器側において、バイアス電流を流す回路に接続される。図に示す携帯機器３０は、マイナス側の電源端子３２Ａと信号端子３２Ｂとを接続してひとつの接点３２としており、この接点３２に２本の出力端子ピン３を接触できるようにしている。マイナス側の電源端子３２Ａと信号端子３２Ｂが接続される接点３２は、携帯機器３０が充電台にセットされる状態で、トランジスタ２５Ａのベースをアース側に接続してバイアス電流を流す状態となる。さらに、このトランジスタ２５Ａは、エミッタとコレクタを充電電源２９と出力端子ピン３に接続して、オン状態で充電電源２９を出力端子ピン３に接続し、オフ状態で充電電源２９を出力端子ピン３から切り離す。この充電台に携帯機器３０がセットされると、トランジスタ２５Ａのベースは出力端子ピン３と信号端子３２Ｂを介してマイナス側の電源端子３２Ａに接続される。この状態で、トランジスタ２５Ａのベースには、トランジスタ２５Ａをオンに切り換えるバイアス電流が流れて、充電電源２９を出力端子ピン３に接続して、携帯機器３０の内蔵電池３１を充電する。
【００５５】
図２６の充電台は、半導体スイッチング素子２５をトランジスタ２５Ａとするが、トランジスタに代わってＦＥＴも使用できる。ＦＥＴはオン抵抗が小さく、少ない電力消費で充電電源を出力端子ピンに接続できる。ＦＥＴは、ゲートを出力端子ピンに接続する。このＦＥＴは、携帯機器がセットされる状態では、携帯機器の内部でゲートをオンに切り換える電圧を入力できる電源回路に接続して、オン状態に切り換えられる。ＦＥＴは、ドレインとソースを充電電源と出力端子ピンに接続しているので、オン状態で充電電源を出力端子ピンに接続して、携帯機器の内蔵電池を充電する。
【図面の簡単な説明】
【００５６】
【図１】従来の装置の回路図である。
【図２】本発明の第１の実施例にかかる充電台に携帯機器をセットする状態を示す斜視図である。
【図３】図２に示す充電台の分解斜視図である。
【図４】図２に示す充電台に携帯機器をセットした状態を示す断面図である。
【図５】本発明の第２の実施例にかかる充電台に携帯機器をセットする状態を示す斜視図である。
【図６】図５に示す充電台の分解斜視図である。
【図７】図４に示す充電台の要部拡大断面図である。
【図８】出力端子ピンの斜視図である。
【図９】金属プレートの製造工程を示す斜視図である。
【図１０】出力端子ピンの接点部が回転する状態を示す概略平面図である。
【図１１】コネクタの縦断面斜視図である。
【図１２】図１１に示すコネクタの絶縁カバーを押し下げた状態を示す断面斜視図である。
【図１３】図１２に示すコネクタの出力端子ピンが押し下げられた状態を示す断面斜視図である。
【図１４】端子カバーの断面斜視図である。
【図１５】コネクタの横断面斜視図である。
【図１６】本発明の一実施例にかかる充電台の回路図である。
【図１７】本発明の他の実施例にかかる充電台の回路図である。
【図１８】携帯機器の接続端子の一例を示す斜視図である。
【図１９】本発明の他の実施例にかかる充電台の出力端子の斜視図である。
【図２０】図１９に示す出力端子の絶縁カバーを押し下げた状態を示す断面斜視図である。
【図２１】図２０に示す出力端子の出力端子ピンが押し下げられた状態を示す断面斜視図である。
【図２２】図１９に示す出力端子が携帯機器の接点に接触する状態を示す拡大断面図である。
【図２３】本発明の他の実施例にかかる充電台の出力端子の斜視図である。
【図２４】図２３に示す出力端子の絶縁カバーを押し下げた状態を示す断面斜視図である。
【図２５】図２４に示す出力端子の出力端子ピンが押し下げられた状態を示す断面斜視図である。
【図２６】本発明の他の実施例にかかる充電台の回路図である。
【符号の説明】
【００５７】
１…ケース                  １Ａ…上ケース
１Ｂ…下ケース
２…装着部                  ２Ａ…底面
３…出力端子ピン
４…端子ホルダ
５…弾性体                  ５Ａ…コイルスプリング
６…金属プレート            ６Ａ…接点部
６Ｂ…突出片
７…プラスチックカバー      ７Ａ…円柱部
７Ｂ…抜け止め鍔部
８…ガイドピン
９…回路基板
１０…コネクタ
１１…固定部
１２…止ネジ
１３…回転ガイド
１４…連結ガイド部          １４ａ…開口部
１５…側面
１６…絶縁カバー            １６Ａ…天板
１６ａ…ガイド孔
１６Ｂ…弾性変形片
１６ｂ…係止フック
１６Ｃ…スリット
１７…押しバネ
１８…側壁部                １８Ａ…係止凹部
１８ａ…係止部
１９…連結ロッド
２０…凸条                  ２０Ａ…凸条
２１…開口窓
２２…内側壁
２３…出力端子              ２３Ａ…電源端子
２３Ｂ…信号端子
２４…遅延部
２５…電源スイッチ          ２５Ａ…半導体スイッチング素子
２６…入力抵抗
２７…遅延コンデンサー
２８…電源回路
２９…充電電源
３０…携帯機器
３１…電池
３２…接点                  ３２Ａ…電源接点
３２Ｂ…信号接点
３３…ケース
３４…保護回路
３５…円形の導電部
３６…長円形の導電部
４０…金属板
４１…オンオフ半導体素子
４２…入力半導体素子
４３…充電抵抗
９０…負荷
９１…電池
９２…接点
９３…リレー
９４…コンデンサー
【図１】
2010158126.tif 000003
【図２】
2010158126.tif 000004
【図３】
2010158126.tif 000005
【図４】
2010158126.tif 000006
【図５】
2010158126.tif 000007
【図６】
2010158126.tif 000008
【図７】
2010158126.tif 000009
【図８】
2010158126.tif 000010
【図９】
2010158126.tif 000011
【図１０】
2010158126.tif 000012
【図１１】
2010158126.tif 000013
【図１２】
2010158126.tif 000014
【図１３】
2010158126.tif 000015
【図１４】
2010158126.tif 000016
【図１５】
2010158126.tif 000017
【図１６】
2010158126.tif 000018
【図１７】
2010158126.tif 000019
【図１８】
2010158126.tif 000020
【図１９】
2010158126.tif 000021
【図２０】
2010158126.tif 000022
【図２１】
2010158126.tif 000023
【図２２】
2010158126.tif 000024
【図２３】
2010158126.tif 000025
【図２４】
2010158126.tif 000026
【図２５】
2010158126.tif 000027
【図２６】
2010158126.tif 000028